(57)【特許請求の範囲】
【請求項１】
被遮水体の表面に敷設される遮水シートと、この遮水シートの面に沿った一方向におけるこの遮水シートの一端縁部の表面とこの一端縁部に隣接する上記被遮水体の表面がわとに跨るように設置される遮水材層とを備えた埋立地における遮水構造において、
上記遮水シートの一端縁部に取り付けられ、この一端縁部の表面から突出し上記遮水材層に埋入される突出体を設け、
上記突出体が、上記遮水シートの一端縁部の表面に面接触するように延びると共に、上記一方向に対し傾斜する方向に延びて、この一端縁部に取り付けられる基板と、この基板に沿って延び、この基板から突出する突出板とを備え、
埋立域を囲む護岸の上記埋立域がわの表面をこの埋立域内に向かうに従い下傾する傾斜面とし、この傾斜面を上記被遮水体の表面として、この表面に上記遮水シートを敷設し、この遮水シートの上端縁部を上記護岸の頂部がわに連結、連結解除可能に連結する連結体を設け、上記護岸と遮水シートの上端縁部とが上下方向で相対的に離反するとき、上記連結体による連結が解除されるようにし、上記遮水シートの上端縁部に連結される浮体を設けたことを特徴とする埋立地における遮水構造。
【発明の詳細な説明】
【技術分野】
【０００１】
本発明は、埋立域を囲む護岸など、遮水されるべき被遮水体の表面に敷設される遮水シートを備えた埋立地における遮水構造に関するものである。
【背景技術】
【０００２】
廃棄物など埋立材を投入するための埋立地における遮水構造には、従来、下記特許文献１に示されるものがある。この公報のものによれば、埋立域を囲み、遮水されるべき被遮水体である護岸の表面に遮水シートが敷設されている。また、この場合、一般に、上記護岸の長手方向における上記遮水シートの一端縁部の表面とこの一端縁部に隣接する上記護岸の表面がわとに跨るように接着性遮水材層が設置されている。
【０００３】
ここで、上記埋立域には、通常、汚濁水が生じるが、この汚濁水が上記護岸を透過して埋立域の外部にまで漏出するという不都合の発生は、上記遮水シートと遮水材層とによって防止され、埋立域外への汚濁水の拡散が防止されるようになっている。
【特許文献１】特開２００３−３２０３３５号公報
【発明の開示】
【発明が解決しようとする課題】
【０００４】
ところで、上記護岸の表面に遮水シートを敷設し、かつ、この遮水シートの一端縁部の表面とこの一端縁部に隣接する上記護岸の表面がわとに跨るように遮水材層を設置するという遮水作業を順次繰り返す場合には、上記各遮水シートを所定姿勢にさせたり、この遮水シートに一定の張りを与えるため、この遮水シートにその他端縁部から引張力を与えることがある。この場合、この引張力はある程度大きいため、上記遮水シートの一端縁部は上記引張力により上記遮水材層から抜け出てしまうおそれがあり、これが生じると、護岸における遮水性が阻害される。
【０００５】
また、上記遮水作業が適正に繰り返されて完了したとしても、その後、廃棄物など埋立材が上記埋立域に投入されて埋立が行われ、上記埋立材から上記遮水シートに外力が与えられた場合には、この外力に基づき生じる上記遮水シートの引張力により、上記遮水シートの一端縁部が上記遮水材層から抜け出てしまうおそれもある。
【課題を解決するための手段】
【０００６】
本発明は、上記のような事情に注目してなされたもので、本発明の目的は、被遮水体の表面に遮水シートを敷設し、かつ、この遮水シートの一端縁部とこの一端縁部に隣接する上記被遮水体の表面がわとに跨るように遮水材層を設置する遮水作業を順次繰り返す場合や、この遮水作業の後に、上記埋立域に投入された埋立材が上記遮水シートに外力を与える場合などにおいて、この遮水シートに引張力が与えられるとしても、この遮水シートの一端縁部が上記遮水材層から容易には抜け出ないようにして、被遮水体における遮水性が良好に保たれるようにすることである。
【０００７】
請求項１の発明は、被遮水体２１の表面に敷設される遮水シート２２と、この遮水シート２２の面に沿った一方向におけるこの遮水シート２２の一端縁部３２の表面とこの一端縁部３２に隣接する上記被遮水体２１の表面がわとに跨るように設置される遮水材層２８とを備えた埋立地における遮水構造において、
上記遮水シート２２の一端縁部３２に取り付けられ、この一端縁部３２の表面から突出し上記接着性遮水材層２８に埋入される突出体３６を設け、
【０００８】
上記突出体３６が、上記遮水シート２２の一端縁部３２の表面に面接触するように延びると共に、上記一方向に対し傾斜する方向に延びて、この一端縁部３２に取り付けられる基板３８と、この基板３８に沿って延び、この基板３８から突出する突出板３９とを備え、
【０００９】
埋立域３を囲む護岸４の上記埋立域３がわの表面をこの埋立域３内に向かうに従い下傾する傾斜面１７とし、この傾斜面１７を上記被遮水体２１の表面として、この表面に上記遮水シート２２を敷設し、この遮水シート２２の上端縁部４２を上記護岸４の頂部がわに連結、連結解除可能に連結する連結体４３を設け、上記護岸４と遮水シート２２の上端縁部４２とが上下方向で相対的に離反するとき、上記連結体４３による連結が解除されるようにし、上記遮水シート２２の上端縁部４２に連結される浮体４７を設けたことを特徴とする遮水構造である。
【００１０】
なお、この項において、上記各用語に付記した符号や図面番号は、本発明の技術的範囲を後述の「実施例」の項や図面の内容に限定解釈するものではない。
【発明の効果】
【００１１】
本発明による効果は、次の如くである。
【００１２】
請求項１の発明は、被遮水体の表面に敷設される遮水シートと、この遮水シートの面に沿った一方向におけるこの遮水シートの一端縁部の表面とこの一端縁部に隣接する上記被遮水体の表面がわとに跨るように設置される遮水材層とを備えた埋立地における遮水構造において、
上記遮水シートの一端縁部に取り付けられ、この一端縁部の表面から突出し上記遮水材層に埋入される突出体を設けている。
【００１３】
このため、上記遮水材層と突出体とが互いに強固に連結されることから、この突出体を取り付けた遮水シートの一端縁部の上記遮水材層に対する連結強度が向上する。よって、被遮水体の表面に遮水シートを敷設し、かつ、この遮水シートの一端縁部とこの一端縁部に隣接する上記被遮水体の表面がわとに跨るように遮水材層を設置する遮水作業を順次繰り返す場合や、この遮水作業の後に、上記埋立域に投入された埋立材が上記遮水シートに外力を与える場合などにおいて、この遮水シートに引張力が与えられるとしても、この遮水シートの一端縁部が上記遮水材層から容易に抜け出るということは防止されて、被遮水体における遮水性が良好に保たれる。
【００１４】
また、上記突出体が、上記遮水シートの一端縁部の表面に面接触するように延びると共に、上記一方向に対し傾斜する方向に延びて、この一端縁部に取り付けられる基板と、この基板に沿って延び、この基板から突出する突出板とを備えている。
【００１５】
このため、上記遮水シートの一端縁部に対し、上記基板は大きい面積で接触し、その分、上記遮水シートの一端縁部に対し突出体の基板は強固に取り付けられる。一方、上記遮水シートの一端縁部の面方向で、上記遮水材層に対し上記突出板は大きい面積で接触し、その分、上記遮水材層に対し突出体の突出板は強固に連結される。よって、上記突出体によれば、上記遮水材層に対する遮水シートの一端縁部の連結強度は、より向上する。この結果、上記被遮水体における遮水性がより良好に保たれる。
【００１６】
また、埋立域を囲む護岸の上記埋立域がわの表面をこの埋立域内に向かうに従い下傾する傾斜面とし、この傾斜面を上記被遮水体の表面として、この表面に上記遮水シートを敷設し、この遮水シートの上端縁部を上記護岸の頂部がわに連結、連結解除可能に連結する連結体を設け、上記護岸と遮水シートの上端縁部とが上下方向で相対的に離反するとき、上記連結体による連結が解除されるようにし、上記遮水シートの上端縁部に連結される浮体を設けており、これによれば、次の作用効果が生じる。
【００１７】
即ち、上記護岸が埋立域と反対側の海域からの波により衝撃力を与えられるなどして崩落し始めるとき、上記遮水シートの一端縁部は浮体により水面上に浮こうとする。このため、上記護岸と遮水シートの一端縁部とは上下方向で相対的に離反することから、上記したように連結体による連結が解除され、上記遮水シートの一端縁部は浮体により水面がわに保持される。
【００１８】
よって、上記したように、何らかの理由で護岸が崩落したとしても、上記遮水シートにより上記埋立域と海域とは仕切られた状態に維持され、上記埋立域の汚濁水が上記海域に流入するということは防止される。
【発明を実施するための最良の形態】
【００１９】
本発明の埋立地における遮水構造に関し、被遮水体の表面に遮水シートを敷設し、かつ、この遮水シートの一端縁部とこの一端縁部に隣接する上記被遮水体の表面がわとに跨るように遮水材層を設置する遮水作業を順次繰り返す場合や、この遮水作業の後に、上記埋立域に投入された埋立材が上記遮水シートに外力を与える場合などにおいて、この遮水シートに引張力が与えられるとしても、この遮水シートの一端縁部が上記遮水材層から容易には抜け出ないようにして、被遮水体における遮水性が良好に保たれるようにするようにする、という目的を実現するため、本発明を実施するための最良の形態は、次の如くである。
【００２０】
即ち、埋立地における遮水構造は、被遮水体の表面に敷設される遮水シートと、この遮水シートの面に沿った一方向におけるこの遮水シートの一端縁部の表面とこの一端縁部に隣接する上記被遮水体の表面がわとに跨るように設置される遮水材層とを備えている。上記遮水シートの一端縁部に取り付けられ、この一端縁部の表面から突出し上記遮水材層に埋入される突出体が設けられる。
【００２１】
上記突出体は、上記遮水シートの一端縁部の表面に面接触するように延びると共に、上記一方向に対し傾斜する方向に延びて、この一端縁部に取り付けられる基板と、この基板に沿って延び、この基板から突出する突出板とを備えている。
【００２２】
埋立域を囲む護岸の上記埋立域がわの表面がこの埋立域内に向かうに従い下傾する傾斜面とされ、この傾斜面を上記被遮水体の表面として、この表面に上記遮水シートが敷設される。また、この遮水シートの上端縁部を上記護岸の頂部がわに連結、連結解除可能に連結する連結体が設けられる。上記護岸と遮水シートの上端縁部とが上下方向で相対的に離反するとき、上記連結体による連結が解除されるようになっており、上記遮水シートの上端縁部に連結される浮体が設けられる。
【実施例１】
【００２３】
本発明をより詳細に説明するために、その実施例１〜３に従って説明する。
【００２４】
図１，２において、符号１は、海岸における廃棄物埋立地である。
【００２５】
上記埋立地１の地盤２の上方域が、廃棄物など埋立材が投入される埋立域３とされている。この埋立域３を囲むよう上記地盤２の外縁部の上面に設置され、上記埋立域３の外縁部に沿って長く延びる護岸４が設けられている。この護岸４の外方域が海域５とされ、つまり、上記護岸４は、上記埋立域３と海域５とを仕切っている。
【００２６】
上記護岸４は、上記地盤２の外縁部の上面に設置されるコンクリート製ケーソンである上、下護岸構造物７，８を備えている。上記上護岸構造物７は、上記護岸４の長手方向Ａに沿った視線でみて、断面が矩形状かつ中空とされている。上記下護岸構造物８は、上記地盤２の外縁部の上面に設置される基台９と、この基台９の海域５がわ部分の上面から上方に突出し、この基台９に一体的に形成されるケーソン本体１０と、上記基台９の埋立域３がわ部分の上面と上記ケーソン本体１０の埋立域３がわの側面とに一体的に架設され、上記護岸４の長手方向Ａで複数設けられる仕切壁１１とを備えている。
【００２７】
上記ケーソン本体１０は、上記長手方向Ａに沿った視線でみて、断面が台形状かつ中空とされている。そして、上記ケーソン本体１０の頂部上面に上記上護岸構造物７が設置されている。上記上護岸構造物７と、下護岸構造物８のケーソン本体１０の各中空部には図示しないが砕石や捨石などの重量充填物が充填される。
【００２８】
上記各仕切壁１１は、上記護岸４の長手方向Ａに沿った視線でみて、三角形状をなしている。また、上記長手方向Ａでわずかの空間１４をあけて一対の仕切壁１１，１１が配置され、これら一対の仕切壁１１，１１は、上記長手方向Ａで大きい他の空間１５を置いて複数配置されている。上記各空間１４，１５には砕石や捨石などの重量充填物１６が充填される。
【００２９】
上記各仕切壁１１の傾斜した上面と、上記各空間１４，１５に充填された重量充填物１６の上面とは互いにほぼ面一とされ、これら上面は、上記下護岸構造物８の頂部から上記埋立域３内に向かうに従い下傾する傾斜面１７とされている。
【００３０】
上記護岸４における上記重量充填物１６に対し、上記埋立域３で生じる汚濁水２０が浸入しないよう上記重量充填物１６が遮水されるべき被遮水体２１とされている。そして、この被遮水体２１の表面である上記傾斜面１７に遮水シート２２と、この遮水シート２２を上下から挟む上、下保護シート２３，２４とが敷設されている。
【００３１】
上記遮水シート２２は、熱可塑性の高密度ポリエチレン（ＨＤＰＥ）、低密度ポリエチレン（ＬＤＰＥ）、もしくは塩化ビニールなどの樹脂製であって熱可塑性を有し、厚さはほぼ１．５ｍｍ以上であって、通常ほぼ３ｍｍとされている。上記保護シート２３，２４は、ポリエステル樹脂などの不織布製とされ、重さ５００ｇ／ｍ２以上とされている。
【００３２】
上記一対の仕切壁１１，１１の間の空間１４に充填された上記重量充填物１６の傾斜面１７は、上記各仕切壁１１の上面および他の空間１５に充填された上記重量充填物１６の傾斜面１７との対比で、凹所２７とされている。この凹所２７には接着性遮水材層２８が充填されて設置されている。この遮水材層２８は上、下遮水材層２９，３０で構成され、上遮水材層２９には砕石や捨石などの石材３１が混入している。上記遮水材層２８はアスファルトマスチックといわれるものである。この遮水材層２８は熱可塑性であり、１６０±２０℃の高温で粘性の大きい熱溶融状態となり、その温度未満の低温では粘性が極めて大きく、レオロジー性を有する。
【００３３】
上記遮水シート２２と各保護シート２３，２４とのこれら各面に沿った一方向である上記護岸４の長手方向Ａにおける各一端縁部３２は、上記上、下遮水材層２９，３０の間に挟みこまれて、上記遮水材層２８に埋入されている。また、上記下遮水材層３０と上記下保護シート２４との間には上記遮水材層２８と同じ材質のマット３３が介設されている。
【００３４】
より具体的には、上記遮水シート２２の一端縁部３２の表面（上面）と、この一端縁部３２に上記長手方向Ａで隣接する上記凹所２７における被遮水体２１の表面がわ（下遮水材層３０の表面）とに跨るように上記遮水材層２８の上遮水材層２９が設置されている。この場合、上記重量充填物１６（被遮水体２１）の表面と、上遮水材層２９と、下遮水材層３０と、これら遮水材層２９，３０に対面する上記各一端縁部３２およびマット３３とは互いに接着されて密着されている。
【００３５】
上記遮水シート２２の一端縁部３２には、この一端縁部３２の表面（上面）から外方（上方）に向かって突出し上記遮水材層２８の上遮水材層２９に埋入される樹脂製の突出体３６が設けられている。この突出体３６は、上記遮水シート２２の一端縁部３２の表面（上面）に面接触するように延びると共に、上記長手方向Ａに対し傾斜する方向に長く延びてこの一端縁部３２に熱溶解樹脂３７により強固に溶接される長尺の基板３８と、この基板３８に沿って長く延び、この基板３８から上記遮水シート２２の一端縁部３２の表面（上面）の外方（上方）に向かって一体的に突出する長尺の突出板３９とを備えている。
【００３６】
上記の場合、長手方向Ａに対し傾斜する方向とは、図例では、上記長手方向Ａにほぼ直交する方向であって、上記遮水シート２２の幅方向とされている。また、上記突出体３６はその断面がＬ字形状とされ、上記突出板３９は、上記基板３８の幅方向の両端縁部のうち、上記遮水シート２２の一端縁部３２における、より端縁がわの一端縁部に突設されている。なお、上記突出体３６は板金製であってもよい。また、上記遮水シート２２の一端縁部３２への突出体３６の取り付けは締結具、リベット、接着材などによってもよい。また、上記突出体３６の基板３８と突出板３９とを互いに別体として、締結具などにより互いに結合してもよい。また、上記突出体３６は断面が倒立Ｔ字形状であってもよい。また、上記突出板３９は複数の突起で形成してもよく、突出板３９に複数の切り欠きや貫通孔を形成してもよい。
【００３７】
上記構成によれば、遮水シート２２の一端縁部３２に取り付けられ、この一端縁部３２の表面から突出し上記遮水材層２８に埋入される突出体３６を設けているため、上記遮水材層２８と突出体３６とが互いに強固に連結されることから、この突出体３６を取り付けた遮水シート２２の一端縁部３２の上記遮水材層２８に対する連結強度が向上する。
【００３８】
よって、被遮水体２１の表面に遮水シート２２を敷設し、かつ、この遮水シート２２の一端縁部３２とこの一端縁部３２に隣接する上記被遮水体２１の表面がわとに跨るように遮水材層２８を設置する遮水作業を順次繰り返す場合や、この遮水作業の後に、上記埋立域３に投入された埋立材が上記遮水シート２２に外力を与える場合などにおいて、この遮水シート２２に引張力が与えられるとしても、この遮水シート２２の一端縁部３２が上記遮水材層２８から容易に抜け出るということは防止されて、被遮水体２１における遮水性が良好に保たれる。
【００３９】
また、前記したように、突出体３６が、上記遮水シート２２の一端縁部３２の表面に面接触するように延びると共に、上記一方向に対し傾斜する方向に延びて、この一端縁部３２に取り付けられる基板３８と、この基板３８に沿って延び、この基板３８から突出する突出板３９とを備えている。
【００４０】
このため、上記遮水シート２２の一端縁部３２に対し、上記基板３８は大きい面積で接触し、その分、上記遮水シート２２の一端縁部３２に対し突出体３６の基板３８は強固に取り付けられる。一方、上記遮水シート２２の一端縁部３２の面方向で、上記遮水材層２８に対し上記突出板３９は大きい面積で接触し、その分、上記遮水材層２８に対し突出体３６の突出板３９は強固に連結される。よって、上記突出体３６によれば、上記遮水材層２８に対する遮水シート２２の一端縁部３２の連結強度は、より向上する。この結果、上記被遮水体２１における遮水性がより良好に保たれる。
【００４１】
図２，３では、便宜上、上記保護シート２３，２４とマット３３との図示を省略している。この図２，３において、上記上護岸構造物７近傍の上記下護岸構造物８の頂部がわに上記遮水シート２２の上端縁部４２を連結、連結解除可能に連結する連結体４３が設けられている。この連結体４３は、上記下護岸構造物８の頂部から上方に向かって突出する連結杭４４を備え、この連結杭４４に対し、その上方から上記遮水シート２２の上端縁部４２が嵌脱可能に嵌合されている。また、上記連結体４３は、上記遮水シート２２の上端縁部４２の上面に載置される土嚢である重し４５と、この重し４５を上記上護岸構造物７に連結するチェーン、ロープ、ベルトなどの索条体である連結具４６とを備えている。
【００４２】
上記遮水シート２２の上端縁部４２上から重し４５が離脱し、上記護岸４の護岸構造物８と遮水シート２２の上端縁部４２とが上下方向で相対的に離反するとき、上記遮水シート２２の上端縁部４２と連結杭４４との嵌合が解除されて、上記下護岸構造物８に対する遮水シート２２の上端縁部４２の上記連結体４３による連結が解除されるようになっている。
【００４３】
上記護岸４の長手方向Ａに沿って延び、上記遮水シート２２の上端縁部４２に連結される発泡樹脂製などの棒形状の浮体４７が設けられている。
【００４４】
一方、上記遮水シート２２の下端がわ４８は、上記埋立域３の底面である地盤２上に敷設されている。
【００４５】
図３において、上記構成によれば、次の作用効果が生じる。
【００４６】
即ち、上記下護岸構造物８が上記海域５がわからの波などにより衝撃力を与えられて上記海域５がわの水４９の水面以下にまで崩落し、これに連動して上記上護岸構造物７が上記重し４５を伴って海域５がわに落下したとする。この場合、上記重し４５は上記遮水シート２２の上端縁部４２上から離脱する一方、上記浮体４７は上記水４９の水面上に浮こうとして、上記遮水シート２２の上端縁部４２を上記連結体４３の連結杭４４からその上方に離反させる。これにより、上記下護岸構造物８に対する遮水シート２２の上端縁部４２の上記連結体４３による連結が解除される（図３中一点鎖線）。
【００４７】
よって、上記したように、何らかの理由で護岸４が崩落したとしても、上記遮水シート２２により上記埋立域３と海域５とは仕切られた状態に維持され、上記埋立域３の汚濁水２０が上記海域５に流入するということは防止される。
【００４８】
なお、以上は図示の例によるが、海域５は河川域や湖などの水域であってもよい。また、上記上護岸構造物７は中実であってもよく、台形であってもよい。また、上記下護岸構造物８のケーソン本体１０は中実であってもよく、矩形であってもい。また、上記被遮水体２１の表面は水平、垂直のいずれに延びるものであってもよい。また、上記遮水材層２８に接着性はなくてもよい。
【００４９】
以下の図４〜６は、実施例２〜４を示している。この実施例２〜４は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００５０】
本発明をより詳細に説明するために、その実施例２を添付の図４に従って説明する。
【００５１】
図４において、上記下護岸構造物８の表面に樹脂製の遮水板５２が取り付けられ、この遮水板５２の表面の一部にアンカー５３が突設されている。上記遮水板５２の表面の他部に重量充填物１６で構成される被遮水体２１が連設され、この被遮水体２１の表面に遮水シート２２が敷設されている。この遮水シート２２の上記遮水板５２がわの一端縁部３２の表面に突出体３６が突設されている。
【００５２】
上記遮水シート２２の一端縁部３２の表面とこの一端縁部３２に隣接する上記被遮水体２１の表面がわとに跨るように遮水材層２８が設置され、この遮水材層２８に上記各アンカー５３と突出体３６とが埋入されている。これにより、上記遮水板５２、遮水シート２２の一端縁部３２、および遮水材層２８の互いの連結強度が向上させられている。
【実施例３】
【００５３】
本発明をより詳細に説明するために、その実施例３を添付の図５に従って説明する。
【００５４】
図５において、上記被遮水体２１の表面に２枚の遮水シート２２，２２が連設されている。これら両遮水シート２２，２２の互いの対向縁部である各一端縁部３２が互いに重ね合わされている。上記両一端縁部３２，３２のうち、一方の一端縁部３２の表面と、この一端縁部３２に隣接する上記被遮水体２１の表面がわとに跨るように、つまり、他の一端縁部３２を介して上記被遮水体２１の表面に跨るように遮水材層２８が設置されている。これによれば、上記両遮水シート２２，２２と遮水材層２８との互いの連結強度が向上させられる。
【実施例４】
【００５５】
本発明をより詳細に説明するために、その実施例４を添付の図６に従って説明する。
【００５６】
図６において、上記連結体４３は、上記護岸４の長手方向Ａに沿って延び、上記遮水シート２２の上端縁部４２に連結される金属製の連結バー５６と、この連結バー５６を上記連結杭４４に連結させるロープ製などのリング５７とを備えている。なお、図中一点鎖線で示すように、前記実施例１と同様に、上記連結杭４４に上記遮水シート２２の上端縁部４２を嵌脱可能に嵌合させてもよい。
【図面の簡単な説明】
【００５７】
【図１】実施例１を示し、図２のI−I線矢視拡大断面図である。
【図２】実施例１を示し、埋立地の部分斜視部分断面図である。
【図３】実施例１を示し、護岸の長手方向に沿った視線でみた埋立地の部分断面図である。
【図４】実施例２を示し、図１に相当する図である。
【図５】実施例３を示し、図１に相当する図である。
【図６】実施例４を示し、図２の部分拡大に相当する図である。
【符号の説明】
【００５８】
１    埋立地
２    地盤
３    埋立域
４    護岸
５    海域
１７  傾斜面
２０  汚濁水
２１  被遮水体
２２  遮水シート
２８  遮水材層
３２  一端縁部
３６  突出体
３８  基板
３９  突出板
４２  上端縁部
４３  連結体
４７  浮体
４９  水
Ａ    長手方向
【図１】
0004942039.tif 000002
【図２】
0004942039.tif 000003
【図３】
0004942039.tif 000004
【図４】
0004942039.tif 000005
【図５】
0004942039.tif 000006
【図６】
0004942039.tif 000007